(57)【要約】【課題】紙幅の違いによって、ブランケット胴のＡ巻きの領域とＡ巻き以外の領域において汚れ度合いに差がある場合であっても、可能な限りブランケット胴の洗浄に要する時間を短縮し、また洗浄布の無駄な消費が起こらないようにすること。【解決手段】印刷機のブランケット胴1に対して、洗浄布６を押し当てる洗浄動作を繰り返すことで、ブランケット胴の外周を洗浄するブランケット胴洗浄装置が、押圧体９の進退動作を制御する進退制御手段２０、洗浄動作の繰り返し回数を印刷用紙２の紙幅に対応した洗浄パターンとして複数設定可能なパターン設定手段２３、ブランケット胴を通過する印刷用紙の紙幅を印刷機からの紙幅信号によって設定する紙幅設定手段２１、洗浄動作の開始の操作を行う開始操作指示手段２２を備え、進退制御手段２０は、洗浄動作が開始されると設定された洗浄パターンに従って押圧体を進退動作させて洗浄を行う。【選択図】図１
2013063621.tif 000002
【特許請求の範囲】
【請求項１】
印刷機のブランケット胴に対して進退動作可能な押圧体によって、洗浄布を前記ブランケット胴に押し当てる洗浄動作を繰り返すことで、前記ブランケット胴の外周を洗浄するブランケット胴洗浄装置において、
前記押圧体の進退動作を制御する進退制御手段と、
洗浄動作の繰り返し回数を印刷用紙の紙幅に対応した洗浄パターンとして複数設定可能なパターン設定手段と、
前記ブランケット胴を通過する印刷用紙の紙幅を前記印刷機からの紙幅信号によって設定する紙幅設定手段と、
前記洗浄動作の開始の操作を行う開始操作指示手段を備え、
前記進退制御手段は、前記開始操作指示手段により前記洗浄動作の開始の操作が行われたときに、前記紙幅設定手段に設定された前記印刷用紙の紙幅に対応した前記パターン設定手段に設定された洗浄パターンに従って前記押圧体の進退動作を行わせることを特徴とするブランケット胴洗浄装置。
【請求項２】
前記紙幅設定手段は、少なくとも前記印刷用紙の紙幅が最大の場合と、紙幅が最大よりも狭い場合の２種類が設定され、前記パターン設定手段に設定される洗浄パターンは、紙幅が最大よりも紙幅が最大より狭い場合に洗浄回数が多いことを特徴とするブランケット胴洗浄装置。
【請求項３】
前記印刷機は新聞輪転機であり、前記紙幅設定手段は、少なくとも前記印刷用紙がＡ巻きの場合と、Ａ巻き以外の場合の２種類が設定され、前記パターン設定手段に設定される洗浄パターンは、Ａ巻きよりもＡ巻き以外の場合の洗浄回数が多いことを特徴とするブランケット胴洗浄装置。
【発明の詳細な説明】
【技術分野】
【０００１】
本発明は、印刷機のブランケット胴洗浄装置に関するもので、特に洗浄布によってブランケット胴の表面を拭き取る形式のブランケット胴洗浄装置に関するものである。
【背景技術】
【０００２】
新聞用輪転機など、いわゆるオフセット印刷機は、ブランケット胴を備える。ブランケット胴は、表面が弾性体であり、版胴の画像を印刷用紙に転写する機能がある。ブランケット胴は、印刷中に余分なインキパイルや紙粉が付着する。印刷品質を維持するために、ブランケット胴の表面は、版の交換や印刷作業の終了のときに洗浄しなければならない。ブランケット胴の洗浄作業は、印刷工程の一部として作業手順の中に含まれている。
【０００３】
ブランケット胴の洗浄作業は手作業で行うこともできる。ブランケット胴の洗浄作業は、洗浄布に洗浄液を含ませ、ブランケット胴の表面を拭くようにして行う。しかし、ブランケット胴の洗浄を手作業で行うと多くの時間がかかるため、通常は印刷機に組み込まれたブランケット胴洗浄装置によって自動的に行われる。
【０００４】
特許文献１には、ブランケット胴洗浄装置の構成が記載されている。ブランケット胴洗浄装置は、洗浄布送り機構と洗浄パッドを備えている。洗浄布送り機構は、供給ロールから巻取り部に向けて洗浄布を送る。洗浄液は、予め洗浄布に含浸させておく。洗浄パッドは、供給ロールと巻取り部の間にあってブランケット胴に対して進退動作する。洗浄パッドは、洗浄布を回転しているブランケット胴の外周に押し当てる。そうすると、ブランケット胴の表面の汚れは洗浄布によって拭き取られる。
【０００５】
ブランケット胴洗浄装置は、（１）洗浄布を回転しているブランケット胴に押し当てる動作、（２）洗浄布の送り動作の２つの動作を洗浄の１サイクルとし、ブランケット胴の表面の洗浄が終わるまで繰り返す。１回の洗浄動作は、例えば３０回程度であり、１回の洗浄布の送り長さは５ｍｍ程度である。この場合、１回の洗浄動作で、洗浄布は１５０ｍｍ消費されることになる。
洗浄動作の開始は、洗浄開始のボタンが押されたときに開始され、洗浄回数は、あらかじめ洗浄装置の制御部に設定されている。
【０００６】
一方、特許文献２に記載されているように、新聞輪転機によって印刷する印刷用紙の幅は、Ａ巻き（１６２６ｍｍ）、Ｃ巻き（１２１９ｍｍ）、Ｄ巻き（８１３ｍｍ）及びＦ巻き（４０７ｍｍ）の４種類がある。ブランケット胴の幅は、Ａ巻きの印刷用紙とほぼ同一である。Ｃ巻き、Ｄ巻き、Ｆ巻きの印刷用紙は、ブランケット胴の幅より狭い。
印刷用紙の幅の違いは、ブランケット胴洗浄装置によってブランケット胴の洗浄を行う場合に問題を生じる。Ａ巻きの印刷用紙を印刷する場合のブランケット胴は、その全幅について、ほぼ均一に汚れる。これは、ブランケット胴の全幅に印刷用紙が接触するからである。しかし、Ｃ巻、Ｄ巻き、Ｆ巻きの印刷用紙に印刷する場合は、印刷用紙が通らない部分は、印刷用紙が通る部分に比べて、汚れが多い。これは、ブランケット胴の表面で、印刷用紙が通らない部分のインキは、印刷用紙に付着しないで残るためである。
【０００７】
ブランケット胴洗浄装置は、Ａ巻きの印刷用紙と接するブランケット胴を洗浄する場合は、例えば洗浄回数を３０回とすれば、Ｃ巻き、Ｄ巻き、Ｆ巻きのブランケット胴を洗浄する場合の洗浄回数は４０回から５５回程度がよい。しかし、実際には、作業者がブランケット胴の洗浄の進行具合を見ながら洗浄の操作を行うため、最初に３０回洗浄し、十分でなければ、もう３０回洗浄を追加するようにしている。
【０００８】
特許文献３には、洗浄装置の洗浄回数をプログラムできる洗浄装置の例が記載されている。この洗浄装置は、ブランケット胴の標準的な汚れ、少ない汚れ、紙粉、多い汚れに対して、洗浄回数を含めて、最適な洗浄条件を選択できるようになっている。
【先行技術文献】
【特許文献】
【０００９】
【特許文献１】特開２００４−０８２７４１号公報
【特許文献２】特開平０５ー１１１９９８号公報
【特許文献３】特開２００５−０８８５４１号公報
【発明の概要】
【発明が解決しようとする課題】
【００１０】
従来のブランケット胴洗浄装置は、ブランケット胴のＡ巻きの領域とＡ巻き以外の領域において汚れ度合いに差がある場合、すなわち汚れの少ない領域と汚れの多い領域との間に汚れの差が生じている場合に、ブランケット胴の洗浄に時間がかかり、かつ洗浄布を無駄に消費しているという課題があった。
この原因は、ブランケット胴の汚れ度合いに差がある場合は、ブランケット胴の洗浄の進行状態を確認しながら洗浄を行っていたところにある。すなわち、印刷機では、ほとんどの場合、ブランケットの幅とほぼ同じ幅の印刷用紙を通すが、場合によっては、ブランケット胴の幅よりも狭い紙幅の印刷用紙を通す場合がある。印刷機が新聞輪転機の場合であれば、ほとんどの印刷ユニットがＡ巻きの印刷用紙を通すことから、まず、Ａ巻きに対応した１回の洗浄動作（例えば３０回の洗浄回数）を行ってみる。次にＣ巻き、Ｄ巻き又はＦ巻きの印刷用紙に印刷したブランケット胴は、所定の洗浄結果が得られるまで、洗浄回数を追加するようにしていた。
その結果、洗浄回数の追加の操作が必要なので、洗浄工程に時間がかかり、またその都度洗浄回数を追加するので、余分な洗浄回数が必要であった。
本発明は、印刷用紙の紙幅の違いによって、ブランケット胴のＡ巻きの領域とＡ巻き以外の領域において汚れ度合いに差がある場合であっても、可能な限りブランケット胴の洗浄に要する時間を短縮し、また洗浄布の無駄な消費が起こらないようにしたブランケット胴洗浄装置を実現する。
【課題を解決するための手段】
【００１１】
本発明は、印刷機のブランケット胴に対して進退動作可能な押圧体によって、洗浄布を前記ブランケット胴に押し当てる洗浄動作を繰り返すことで、前記ブランケット胴の外周を洗浄するブランケット胴洗浄装置において、前記押圧体の進退動作を制御する進退制御手段と、洗浄動作の繰り返し回数を印刷用紙の紙幅に対応した洗浄パターンとして複数設定可能なパターン設定手段と、前記ブランケット胴を通過する印刷用紙の紙幅を前記印刷機からの紙幅信号によって設定する紙幅設定手段と、前記洗浄動作の開始の操作を行う開始操作指示手段を備え、
前記進退制御手段は、前記開始操作指示手段により前記洗浄動作の開始の操作が行われたときに、前記紙幅設定手段に設定された前記印刷用紙の紙幅に対応した前記パターン設定手段に設定された洗浄パターンに従って前記押圧体の進退動作を行わせることを特徴とするブランケット胴洗浄装置とした。
さらに、前記紙幅設定手段は、少なくとも前記印刷用紙の紙幅が最大の場合と、紙幅が最大よりも狭い場合の２種類が設定され、前記パターン設定手段に設定される洗浄パターンは、紙幅が最大よりも紙幅が最大より狭い場合に洗浄回数が多いことを特徴とするブランケット胴洗浄装置とした。
さらに、前記印刷機は新聞輪転機であり、前記紙幅設定手段は、少なくとも前記印刷用紙がＡ巻きの場合と、Ａ巻き以外の場合の２種類が設定され、前記パターン設定手段に設定される洗浄パターンは、Ａ巻きよりもＡ巻き以外の場合の洗浄回数が多いことを特徴とするブランケット胴洗浄装置とした。
【発明の効果】
【００１２】
本発明によれば、洗浄動作の繰り返し回数が、ブランケット胴を通過する紙幅によって、自動的に設定されるので、洗浄回数の追加の操作が不要なため、洗浄工程の時間を短縮することができる。また、紙幅が異なる場合の洗浄回数は、洗浄パターンとして予め設定するため、過剰な洗浄回数が設定されることがない。そのため、洗浄布の無駄な消費を少なくすることができる。
【図面の簡単な説明】
【００１３】
【図１】図１は、本発明の実施の形態のブロック図である。
【図２】図２は、印刷機が新聞輪転機である場合の印刷用紙の紙幅の説明図である。
【図３】図３は、ブランケット胴１の洗浄パターンの説明図である。
【図４】図４は、パターン設定手段２３に設定する洗浄パターンの例を示す図である。
【図５】図５は、ブランケット洗浄装置３の動作の例を示す図である。
【図６】図６は、図４に示した洗浄パターンの他の例を示す図である。
【発明を実施するための形態】
【００１４】
本発明は、印刷用紙の紙幅の違いによって、ブランケット胴のＡ巻きの領域とＡ巻き以外の領域において汚れ度合いに差がある場合であっても、可能な限りブランケット胴の洗浄に要する時間を短縮し、また、洗浄布の無駄な消費が起こらなくすることを、印刷機のブランケット胴に対して、使用する印刷用紙の紙幅が少なくともＡ巻きの場合とＡ巻き以外の場合の２種類に対応したＡ巻きの洗浄回数とＡ巻き以外の洗浄回数によって洗浄パターンを構成し、設定された印刷用紙の紙幅に対応した洗浄パターンに従って押圧体を進退動作させて洗浄することで実現した。
以下に、本発明の実施の態様を図面に基づいて説明する。
【００１５】
図１は、本発明の実施の形態のブロック図である。１は、印刷機のブランケット胴である。２はブランケット胴１を通過する印刷用紙である。３は、ブランケット胴１に対するブランケット胴洗浄装置である。４は、洗浄ユニットである。洗浄ユニット４は、楕円５で部分拡大して示している。洗浄ユニット４は、ブランケット胴１に隣接して設置される。６は、洗浄布であり、洗浄布６は、供給ロール７から供給され、巻取り部８によって巻き取られる。９は押圧体である。パイプ１０の供給口１１には、バルブ１２を通して高圧空気が供給される。
【００１６】
押圧体９は、空気で膨らむインナーチューブの構造をしており、高圧空気が入るとブランケット胴１に向けて膨張し、高圧空気が抜けるとシュリンクする。実線９で示した状態は膨張した状態であり、破線１３で示した状態はシュリンクした状態である。洗浄布６は、押圧体９とブランケット胴１の間を通過する。押圧体９が膨張すれば洗浄布６はブランケット胴１に押し付けられ、シュリンクすればブランケット胴から離れる。すなわち、押圧体９は、バルブ１２によって制御される高圧空気によって、ブランケット胴１に対して進退動作をする。１４は、巻取り部8の巻取り機構である。巻取機構１４は、洗浄布６を必要に応じて巻き取る。
【００１７】
２０は、進退制御手段である。進退制御手段２０は、バルブ１２の開閉を制御する。
２１は、紙幅設定手段である。紙幅設定手段２１は、図示しない印刷機から出力される印刷用紙２に対応した信号を受け取り、紙幅を設定する。
２２は、開始操作指示手段である。開始操作指示手段２２は、進退制御手段２２に洗浄動作の開始を指示する手段である。開始操作指示手段２２は、ハードウエアスイッチとして存在し、手動操作を行うこともできる。
実際には、図示しない印刷機の制御下にあって、ブランケット胴洗浄装置３の動作開始は、印刷機からの指示による。従って、開始操作指示手段２２は、印刷機から送られてくる洗浄動作開始の信号を受け取る手段であってよい。
【００１８】
図２は、印刷機が新聞輪転機である場合の印刷用紙の紙幅の説明図である。新聞輪転機の場合、ブランケット胴１は、ＧＳ、ＧＣ、ＨＣ、ＨＳの４つの領域に分けることができる。印刷用紙がＡ巻きであれば、４つの領域は、すべて印刷用紙が通過する。この場合は、ブランケット胴１に供給されたインキは、基本的に印刷用紙に転写されるため、ブランケット胴１の上にインキが堆積することはない。
【００１９】
一方、印刷用紙が、Ａ巻き以外の場合は、ブランケット胴１の領域の中で、印刷用紙が通過しない領域が生じる。印刷用紙が、Ｃ巻きのときは、一例として領域ＨＳを印刷用紙が通過しない。また、Ｄ巻きのときは、一例として領域ＧＳと領域ＨＳを印刷用紙が通過しない。印刷用紙が通過しない領域には、印刷用紙が通過する部分からの余剰なインキが堆積する。
【００２０】
ブランケット胴１の洗浄を行うには、図１に示したブランケット胴洗浄装置を使用するが、洗浄開始から洗浄完了までの洗浄パターンとしての洗浄回数の設定は、ブランケット胴の汚れ度合いと、洗浄完了の目標によって異なる。図３は、ブランケット胴１の洗浄パターンの説明図である。図３のグラフは、洗浄開始時からのブランケット胴１の汚れの減少の過程と、洗浄完了の目標を模式的に示したものである。縦軸ＤＵはブランケット胴１の汚れの度合いを示し、横軸ＣＬは、洗浄回数を示している。
【００２１】
ここで、洗浄回数とは、図１の洗浄ユニット４において、洗浄布６を所定の時間（例えば１秒）ブランケット胴１に押し付け、その後洗浄布６をブランケット胴１から離す動作を１回と計数した場合の回数である。
洗浄動作とは、洗浄開始から洗浄終了までの動作であって、洗浄開始は、開始操作指示手段２２の操作によって開始され、洗浄終了は、洗浄によってブランケット胴１の汚れ度合いが低下し、所定の度合いに至ったときに終了する。洗浄開始から洗浄終了までの１サイクルの洗浄動作における洗浄回数は、実験又は経験によって決定される。
【００２２】
洗浄パターンとは、代表的には１サイクルの洗浄動作における洗浄回数の数値で表現することができ、必要に応じて洗浄布６の押し付け時間、洗浄布６の押し付け圧などの数値を含むことができる。洗浄布６は、洗浄布６がブランケット胴１から離れているときに、巻取機構１４によって、所定の長さ（例えば５ｍｍ）巻き取られるが、１回の巻取り長さも必要に応じて洗浄パターンの一部として含めることができる。
【００２３】
ＤＵ１は、ブランケット胴１の印刷用紙が通る部分の洗浄動作の開始のときの汚れの度合いであり、ＤＵ２は、印刷用紙が通らない部分の洗浄動作の開始のときの汚れの度合いである。ブランケット胴１の汚れは、余剰インキ、紙粉及びそれらが複合して付着したものである。ＤＵ２は、ＤＵ１より汚れの度合いが大きい、すなわち汚れが多いことを意味する。
ＤＵ０は、洗浄目標である。ブランケット胴１は、印刷に支障がでない程度まで洗浄する必要があり、汚れの度合いがＤＵ０に至った時に洗浄動作を終了する。ＣＬ１は、印刷用紙が通る部分の洗浄を行う場合の洗浄回数の例であり、ＣＬ２は、印刷用紙が通らない部分の洗浄を行う場合の洗浄回数の例である。実際のＣＬ１及びＣＬ２は、実験又は経験によって決めるのが合理的であり、例えばＣＬ１は３０回、ＣＬ２は５５回というようにパターン設定手段２３に設定する。
【００２４】
図４は、パターン設定手段２３に設定する洗浄パターンの例である。洗浄パターンＰ１には、洗浄回数ＣＬ１が設定され、洗浄パターンＰ２には、洗浄回数ＣＬ２が設定される。
図５は、ブランケット洗浄装置３の動作の例である。２５は、開始のステップであり、開始操作指示手段２２の操作によって開始のステップ２５から開始される。開始操作指示手段２２の操作は、実際には印刷機からの信号によって行われる。２６は、紙幅設定手段２１に紙幅の情報Ｗを読み込むステップである。紙幅の情報Ｗは、Ａ巻きのときにＷ＝１であり、Ａ巻き以外のときは、Ｗには１以外となる。
ステップ２７は、紙幅の情報Ｗによって、パターン設定手段２３に設定された洗浄パターンを選択するステップである。パターン設定手段２３には、図４に示したように、２つの洗浄パターンが設定されている。第１のパターンＰ１はＣＬ１であり、第２のパターンＰ２はＣＬ２である。ＣＬは、進退制御手段２０に含まれるカウンタであり、紙幅がＡ巻きのときは、ＣＬの値としてＣＬ１が設定され、Ａ巻き以外のときは、ＣＬ２が設定される。
ステップ３０は、進退制御手段３０が洗浄動作の終了を判断するステップである。ステップ３０では、ＣＬの値が０以下であるときに、洗浄動作が終了し、終了のステップ３１に至る。ＣＬの値が０より大きいときは、まだ洗浄が終わっていないと判断し、ステップ３２で、ＣＬの値を１つ減少させ、ステップ３３で１回の洗浄を行う。ステップ３０、３２、３３はループになっており、ＣＬの値が０以下になるまで洗浄を繰り返す。
【００２５】
図６は、図４に示した洗浄パターンの他の例である。図４では、Ｐ１及びＰ２の２つの洗浄パターンは、洗浄回数ＣＬのみを設定するようにしていた。図６の例では、第１の洗浄パターンＰ１、第２の洗浄パターンＰ２に、それぞれ、洗浄回数ＣＬのほかに、押し付け時間ＷＴと洗浄布送り長さＦＬを追加して設定できるようにしたものである。押し付け時間ＷＴとは、１回の洗浄における洗浄布６をブランケット胴１に押し付ける時間である。たとえば洗浄パターンＰ１では、洗浄動作の初期（ＣＬ＝３０に近い側）では、押し付け時間ＷＴを短くし（例えば０．２秒）とし、洗浄動作の終期（ＣＬ＝１に近い側）ではＷＴを長く（例えば１．４秒）したものである。
【００２６】
この理由は、洗浄動作の初期では、ブランケット胴の汚れが多いため、洗浄布の洗浄能力が短時間で飽和するためである。洗浄布の洗浄能力が飽和した場合は、それ以上押し当てていても洗浄効果が少ない。しかし、洗浄動作が終期に近づけば、ブランケット胴１の表面の汚れが減少しているので、洗浄布を長時間押し当てていても、洗浄布の洗浄能力が飽和することはない。このことにより、全体的な洗浄時間を短縮することができ、また洗浄布の洗浄能力を有効に使用することができるので、洗浄布の消費量を少なくすることができる。
【００２７】
一方、洗浄布の送り長さＦＬについても、洗浄布の洗浄能力に合わせて設定することができる。洗浄動作の初期では、ＦＬを長くし（例えば７ｍｍ）洗浄動作の終期ではＦＬを短く（例えば４ｍｍ）とする。これにより、洗浄布の消費量を少なくすることが可能である。
【００２８】
なお、図６に示した押し付け時間ＷＴ、洗浄布の送り長さＦＬは、洗浄回数ＣＬに対応していればよいので、図６の例のように回数に応じたグラフで表現してもよく、表として表現してもよい。さらに、図４、図６に示した洗浄パターンは、実際には印刷用紙の銘柄、印刷部数、印刷内容などの印刷条件に合わせて多数のパターンを用意し、それらの多数のパターンの中から予め設定した２つの洗浄パターンを自動又は手動で選択しておき、紙幅信号によって自動的に選択するようにすることもできる。
【００２９】
印刷終了時のブランケット胴は、同じ紙幅であれば、印刷部数が多い（例えば３０万部）ときのほうが、少ないとき（例えば１０万部）に比較して、汚れの度合いが強い。そこで、例えば、図４に示した洗浄パターンで、印刷部数による洗浄パターンでは、３０万部に対応したＰ１のＣＬ１を３０回とすれば、１０万部のときはＣＬ１を２５回とする。そして、Ｐ２もそれに応じて、３０万部のときにＣＬ２を５５回とし、１０万部のときにＣＬ２を４５回とする。このことにより、印刷部数に応じて洗浄工程を最適化することができ、洗浄工程の時間を短縮し、さらに洗浄布の節約をすることができる。
【符号の説明】
【００３０】
１    印刷機のブランケット胴
２    印刷用紙
３    ブランケット胴洗浄装置
４    洗浄ユニット
６    洗浄布
７    供給ロール
８    巻取ロール
９    押圧体
１０  パイプ
１１  供給口
１２  バルブ
１４  巻取り機構
２０  進退制御手段
２１  紙幅設定手段
２２  開始操作指示手段
２３  パターン設定手段
【図１】
2013063621.tif 000003
【図２】
2013063621.tif 000004
【図３】
2013063621.tif 000005
【図４】
2013063621.tif 000006
【図５】
2013063621.tif 000007
【図６】
2013063621.tif 000008